(57)【要約】【課題】生産性を考慮したシートサイズを容易に選択することを可能とする。【解決手段】制御部は、プリンタ部により画像形成する画像データが含まれる印刷データに基づき、第１用紙サイズを決定する第１決定処理（Ｓ３、Ｓ４、Ｓ５）と、印刷データ及びサイズ速度情報に基づき、第１用紙サイズの画像形成速度とは異なる画像形成速度となる第２用紙サイズを決定する第２決定処理（Ｓ６、Ｓ７、Ｓ９、Ｓ１０）と、第１用紙サイズと第２用紙サイズとを選択候補として提示する提示処理（Ｓ１１）と、を実行する。これにより、ユーザが用紙サイズを計算することなく、生産性を考慮した第２用紙サイズを容易に選択することができ、生産性の向上を図れる。【選択図】図５
2018124520.tif 000002
【特許請求の範囲】
【請求項１】
シートサイズに応じて画像形成速度を設定してシートに画像形成する画像形成手段と、
複数のシートサイズと各シートサイズの画像形成速度とが対応付けられたサイズ速度情報を記憶する記憶手段と、
前記画像形成手段により画像形成する画像データが含まれるジョブ情報に基づき、第１シートサイズを決定する第１決定処理と、前記ジョブ情報及び前記サイズ速度情報に基づき、前記第１シートサイズの画像形成速度とは異なる画像形成速度となる第２シートサイズを決定する第２決定処理と、前記第１シートサイズと前記第２シートサイズとを選択候補として提示する提示処理と、を実行する制御手段と、を備えた、
ことを特徴とする画像形成装置。
【請求項２】
前記サイズ速度情報は、複数のシートサイズが複数のグループに区分され、各グループの画像形成速度が対応付けられた情報である、
ことを特徴とする請求項１に記載の画像形成装置。
【請求項３】
前記制御手段は、前記第１決定処理において、前記ジョブ情報と予め設定された設定情報とに基づき前記第１シートサイズを決定する、
ことを特徴とする請求項１又は２に記載の画像形成装置。
【請求項４】
前記制御手段は、前記第２決定処理において、前記第１シートサイズの画像形成速度よりも速い画像形成速度となるように前記第２シートサイズを決定する、
ことを特徴とする請求項１乃至３の何れか１項に記載の画像形成装置。
【請求項５】
前記制御手段は、前記第２決定処理において、前記サイズ速度情報にあって前記第１シートサイズの画像形成速度よりも速い画像形成速度となるシートサイズが有る場合は、前記提示処理を実行し、前記サイズ速度情報にあって前記第１シートサイズの画像形成速度よりも速い画像形成速度となるシートサイズが無い場合は、前記提示処理の実行を中止する、
ことを特徴とする請求項４に記載の画像形成装置。
【請求項６】
前記制御手段は、前記第２決定処理において、前記サイズ速度情報にあって前記第１シートサイズと前記第１シートサイズの画像形成速度の次に速い画像形成速度のシートサイズとのサイズ差の割合が一定割合よりも小さい場合に、前記提示処理を実行し、前記サイズ速度情報にあって前記第１シートサイズと前記第１シートサイズの画像形成速度の次に速い画像形成速度のシートサイズとのサイズ差の割合が前記一定割合よりも大きい場合に、前記提示処理の実行を中止する、
ことを特徴とする請求項４又は５に記載の画像形成装置。
【請求項７】
表示画像を表示する表示手段を備え、
前記制御手段は、前記提示処理において、前記第１シートサイズと前記第２シートサイズとを選択候補として示す表示画像を前記表示手段に表示する、
ことを特徴とする請求項１乃至６の何れか１項に記載の画像形成装置。
【請求項８】
前記表示手段は、前記選択候補の選択操作を受付可能に構成されている、
ことを特徴とする請求項７に記載の画像形成装置。
【請求項９】
前記制御手段は、前記提示処理において、前記第１シートサイズを選択した場合の画像形成結果を示す第１プレビュー画像と、前記第２シートサイズを選択した場合の画像形成結果を示す第２プレビュー画像と、を表示画像として前記表示手段に表示する、
ことを特徴とする請求項７又は８に記載の画像形成装置。
【請求項１０】
前記制御手段は、前記第２決定処理において、前記ジョブ情報に前記第２シートサイズのページデータが含まれていることに基づき、前記第２シートサイズを決定する、
ことを特徴とする請求項１乃至９の何れか１項に記載の画像形成装置。
【請求項１１】
前記制御手段は、前記第２決定処理において、前記ジョブ情報に一定枚数以上の前記第２シートサイズのページデータが含まれていることに基づき、前記第２シートサイズを決定する、
ことを特徴とする請求項１０に記載の画像形成装置。
【請求項１２】
前記画像形成手段に給送可能な複数のシートサイズのシートを収納するシート収納手段を備え、
前記制御手段は、前記第２決定処理において、前記シート収納手段に収納されているシートサイズの中から前記第２シートサイズを決定する、
ことを特徴とする請求項１乃至１１の何れか１項に記載の画像形成装置。
【請求項１３】
前記制御手段は、前記第２決定処理において、前記記憶手段に記憶されている複数のシートサイズの中から前記第２シートサイズを決定する、
ことを特徴とする請求項１乃至１１の何れか１項に記載の画像形成装置。
【請求項１４】
前記画像形成手段に給送可能な複数のシートサイズのシートを収納するシート収納手段を備え、
前記制御手段は、前記第２決定処理において、前記シート収納手段に収納されているシートサイズの中から前記第２シートサイズを決定する処理と、前記記憶手段に記憶されているシートサイズの中から前記第２シートサイズを決定する処理と、を選択的に実行する、
ことを特徴とする請求項１乃至１１の何れか１項に記載の画像形成装置。
【請求項１５】
シートサイズに応じて画像形成速度を設定してシートに画像形成する画像形成手段と、複数のシートサイズと各シートサイズの画像形成速度とが対応付けられたサイズ速度情報を記憶する記憶手段と、制御手段と、を備えた画像形成装置の制御方法において、
前記制御手段が、前記画像形成手段により画像形成する画像データが含まれるジョブ情報に基づき、第１シートサイズを決定する第１決定工程と、
前記制御手段が、前記ジョブ情報及び前記サイズ速度情報に基づき、前記第１シートサイズの画像形成速度とは異なる画像形成速度となる第２シートサイズを決定する第２決定工程と、
前記制御手段が、前記第１シートサイズと前記第２シートサイズとを選択候補として提示する提示工程と、を備えた、
ことを特徴とする画像形成装置の制御方法。
【請求項１６】
コンピュータに、請求項１５に記載の画像形成装置の制御方法の各工程を実行させるためのプログラム。
【発明の詳細な説明】
【技術分野】
【０００１】
本発明は、シートサイズに応じて画像形成速度を設定してシートに画像形成する画像形成装置、及び画像形成装置の制御方法に関する。
【背景技術】
【０００２】
画像形成装置により印刷したシートのシート束に裁断処理を施して製本する製本装置がある（特許文献１参照）。この特許文献１の製本装置おいては、印刷するシートのサイズを選択する際に、画像データよりも大きいサイズのシートサイズのうち、保有しているシートサイズのうちの最小のシートサイズを選択することが提案されている。これにより、ユーザが印刷用紙を選択したり裁断幅の計算を行ったりすることが省略でき、簡易に印刷処理を実行することが可能となっている。
【先行技術文献】
【特許文献】
【０００３】
【特許文献１】特許第４７５６５８４号公報
【発明の概要】
【発明が解決しようとする課題】
【０００４】
ところで、画像形成装置においては、例えば両面印刷を行う場合に搬送経路上に同時に何枚の用紙が衝突せずに存在できるかを示すことになる循環枚数がシートサイズ毎に設定されている。この循環枚数は、整数値であるため、シートサイズに単純に比例するものではなく、シートサイズが僅かに変わるだけで、印刷速度が大幅に変わることがある。例えば搬送方向の長さが３６０ｍｍまでは循環枚数が５枚、それ以上は３枚である画像形成装置であるとすると、３５７ｍｍのシートと３６０ｍｍのシートとでは搬送方向の長さは１％程度しか異ならず、印刷速度も同程度であって殆ど変わらない。しかしながら、同じく１％程度長さが異なる３６０ｍｍのシートと３６３ｍｍのシートとでは循環枚数が異なり、３６３ｍｍのシートの印刷速度は、３６０ｍｍのシートの印刷速度と比べて数十％も変わることになる。
【０００５】
また、商業印刷の分野において、入稿される印刷データの形態は様々であり、余白のない印刷画像のみが印刷データとして入稿される場合もあれば、余白付きで入稿される場合もある。また、断裁処理を行う印刷ジョブの場合、入稿されたデータに対して余白及びトンボと呼ばれる断裁位置を合わせるための目印を付加し、これを印刷データとして画像形成装置に送信することもある。この場合、印刷データの大きさよりも小さいシートサイズを用いたとしても、画像データ及びトンボ画像が印刷されれば十分である場合が多い。このような場合に、上記特許文献１に記載の技術のように印刷データより大きいシートサイズを用いると、前述の印刷速度が大きく異なる用紙サイズを不必要に選択してしまい、十分な印刷速度が得られず、生産性が低下する場合がある。さらに、シートサイズに対する循環枚数と、循環枚数の異なるシートサイズでの印刷速度の変化については、ユーザには明示されていないことが一般的である。そのため、ユーザが最適なシートサイズを計算して選択することは困難であるという問題もある。
【０００６】
そこで本発明は、生産性を考慮したシートサイズを容易に選択することが可能な画像形成装置及び画像形成装置の制御方法を提供することを目的とするものである。
【課題を解決するための手段】
【０００７】
本発明に係る画像形成装置は、シートサイズに応じて画像形成速度を設定してシートに画像形成する画像形成手段と、複数のシートサイズと各シートサイズの画像形成速度とが対応付けられたサイズ速度情報を記憶する記憶手段と、前記画像形成手段により画像形成する画像データが含まれるジョブ情報に基づき、第１シートサイズを決定する第１決定処理と、前記ジョブ情報及び前記サイズ速度情報に基づき、前記第１シートサイズの画像形成速度とは異なる画像形成速度となる第２シートサイズを決定する第２決定処理と、前記第１シートサイズと前記第２シートサイズとを選択候補として提示する提示処理と、を実行する制御手段と、を備えたことを特徴とする。
【０００８】
また、本発明に係る画像形成装置の制御方法は、シートサイズに応じて画像形成速度を設定してシートに画像形成する画像形成手段と、複数のシートサイズと各シートサイズの画像形成速度とが対応付けられたサイズ速度情報を記憶する記憶手段と、制御手段と、を備えた画像形成装置の制御方法において、前記制御手段が、前記画像形成手段により画像形成する画像データが含まれるジョブ情報に基づき、第１シートサイズを決定する第１決定工程と、前記制御手段が、前記ジョブ情報及び前記サイズ速度情報に基づき、前記第１シートサイズの画像形成速度とは異なる画像形成速度となる第２シートサイズを決定する第２決定工程と、前記制御手段が、前記第１シートサイズと前記第２シートサイズとを選択候補として提示する提示工程と、を備えたことを特徴とする。
【発明の効果】
【０００９】
本発明によると、ジョブ情報に基づき決定される第１シートサイズと、ジョブ情報及びサイズ速度情報に基づき決定される第２シートサイズとが選択候補として提示される。これにより、ユーザがシートサイズを計算することなく、生産性を考慮した第２シートサイズを容易に選択することができ、生産性の向上を図ることができる。
【図面の簡単な説明】
【００１０】
【図１】印刷システム全体を示す概略図。
【図２】画像形成装置の構成を示すブロック図。
【図３】印刷設定画面の一例を示す図。
【図４】用紙サイズを区分するグループのテーブルの一例を示す図。
【図５】用紙サイズを提示する制御を示すフローチャート。
【図６】画像形成装置に登録された用紙サイズを示す図。
【図７】用紙サイズ提示画面の一例を示す図。
【発明を実施するための形態】
【００１１】
以下、本発明を実施するための形態について図１乃至図７を用いて説明する。まず、図１及び図２を用いて、印刷システムの構成と基本動作を説明する。図１は画像形成システム全体を示す概略図、図２は画像形成装置の構成を示すブロック図である。
【００１２】
一般に画像形成を行う画像形成装置としては、例えば複合機又はＭＦＰ（Ｍｕｌｔｉ  Ｆｕｎｃｔｉｏｎ  Ｐｒｉｎｔｅｒ）と呼ばれる、複写機、プリンタ、スキャナ、ファクシミリ等の機能を備えたものが使用されている。近年、これらの画像形成装置は、数ページから数十ページの印刷データの印刷を主用途とするオフィス文書印刷や、数千ページ以上の印刷データの印刷を行う帳票印刷やバリアブル印刷など、幅広い用途で用いられている。特に、多くのページ又は多くの印刷ジョブを印刷する市場として、オンデマンド印刷を扱うＰＯＤ（Ｐｒｉｎｔ  Ｏｎ  Ｄｅｍａｎｄ）市場がある。これらの市場においては、顧客から入稿されたジョブ情報である印刷データに基づき印刷し、成果物として顧客に対して提供する業務のための印刷装置として画像形成装置が用いられている。
【００１３】
これらの画像形成装置は、ユーザが望む印刷物の出力形態を実現するため、様々な機能を備えている。例えばステイプル処理、パンチ処理、折り処理、断裁処理などを施す各種フィニッシャーを備えていたり、印刷データを両面印刷するための反転機構を備えていたりする。
【００１４】
オンデマンド印刷においては、顧客が望む様態で出力用紙を提供するため、出力用紙に対して後工程と呼ばれる様々な後処理が行われる。例えば出力された出力用紙に印刷された印字データが入力された印刷データと相違ないか、或いは出力用紙に傷や汚れがないかを検査する検品工程が後処理の一例である。また、パンチ処理、ステイプル処理、折り処理、断裁処理を専門に行うフィニッシャーを用いて、出力用紙に対してこれらの処理を施す工程も後工程の一例である。これら後工程のために用いられる検品装置、パンチ装置、ステイプル装置、折り機、断裁機は、後処理装置と呼ばれ、出力された印刷物の付加価値を高める様々な機能を提供する。オンデマンド印刷のワークフローにおいては、これら後処理装置が画像形成装置に連結され、一体となって動作する場合と、画像形成装置とは別の独立した装置として動作する場合とがある。前者のフィニッシング工程をインラインフィニッシング、後者をオフラインフィニッシングと呼ぶことが一般的である。オフラインフィニッシングの場合は、画像形成装置から出力され排紙装置に積載された出力用紙が、オペレータによって後処理装置のもとへと運ばれ、後処理装置が当該出力用紙束から用紙を逐次給紙し、各種後処理を施すことになる。
【００１５】
一般的に、例えば上記フィニッシング処理のうちの断裁処理においては、画像形成装置を用いて、最終的に作成したい印刷物よりも大きいサイズの用紙に印字処理を行い、後工程において断裁処理を施すことが広く行われている。即ち、断裁処理は、画像形成装置の印字処理において生じてしまう余白を残さず、最終成果物を余白なしで作成したい場合に行われる。或いは、断裁処理は、最終成果物が製本印刷物である場合に、製本時に生じる各用紙間のずれを取り除き、より良い品位の成果物を得る目的でも行われる。通常、このような場合には、ユーザは実際に印刷したい印刷データよりも大きいサイズの用紙を用意し、画像形成装置を用いて印刷を行うことになる。また、最終成果物の大きさと印刷用紙の大きさを考慮し、適切な断裁幅又は仕上がりサイズを指定して断裁処理を行うことになる。
【００１６】
このように多様な成果物を作成する印刷現場においては、最終成果物の大きさもまた多様となる。印刷に用いるシートである用紙を印刷データごとに準備するのは煩雑であり、管理する用紙の種類が増えてしまう点でも不便である。そこで、あらかじめ複数種類の大きさの用紙を準備しておき、印刷データに対して、適した大きさの用紙を選択することが広く行われている。その際、ユーザが用紙の選択や断裁幅の計算を手動で行うことなく、画像形成装置で選択することができればより簡便である。
【００１７】
しかしながら、画像形成装置で用紙を選択する際、その用紙サイズによって上述した循環枚数が少なくなり、例えば１分間などの単位時間あたりの画像形成（印刷）したシートの出力枚数である画像形成速度としての印刷速度が大幅に下がる場合もある。また反対に、循環枚数が多くなる用紙サイズを選択することによってユーザが望む仕上がりが得られない場合もある。そこで、以下に本実施の形態に係る画像形成装置によって、このような課題を解決するものである。なお、印刷速度は、一般的にはシートの搬送速度に比例し、シートの搬送速度は、シートの搬送方向の長さに次のシートとの間隔を加えた値に反比例することになる。そして、両面印刷の場合の印刷速度は、シートの搬送速度だけでなく、上記循環枚数の値が影響することになる。
【００１８】
本実施の形態に係る画像形成装置１０４は、図１に示す印刷システム１００の一部を構成する装置である。印刷システム１００は、プリントサーバ１０１、クライアントＰＣ１０２、画像形成装置１０４、製本機１０５、断裁機１０６がネットワーク１０３によって接続されて構成されている。プリントサーバ１０１及びクライアントＰＣ１０２は、ネットワーク１０３に接続されたコンピュータであり、ネットワーク１０３上に複数存在してもよい。プリントサーバ１０１及びクライアントＰＣ１０２は、ページ記述言語（ＰＤＬ）で記述されたジョブ情報としての印刷データを保持しており、ユーザはこれら機器を操作して印刷データを画像形成装置１０４へと送信する。
【００１９】
ネットワーク１０３は、例えばＬＡＮ（Ｌｏｃａｌ  Ａｒｅａ  Ｎｅｔｗｏｒｋ）であり、画像形成装置１０４もネットワーク１０３上に複数存在してもよい。画像形成装置１０４は、送信された印刷データをビットマップ画像などのラスターイメージに変換するＲＩＰ（Ｒａｓｔｅｒ  Ｉｍａｇｅ  Ｐｒｏｃｅｓｓ）処理を行う。そして、給紙装置２０５からプリンタ部２０４に用紙を給紙し、当該用紙にビットマップ画像を形成、印字し、排紙装置２０６に当該用紙を排出する。
【００２０】
印刷システム１００は、製本機１０５や断裁機１０６のように、画像形成装置１０４とは別に、後処理を専門に行う機器を備えている。製本機１０５は、画像形成装置１０４により印刷され出力された出力用紙を給紙すると、中綴じ製本やくるみ製本といった製本処理を行う。断裁機１０６は、画像形成装置１０４により印刷され出力された出力用紙を給紙すると、設定された余白などに応じて余白の断裁処理を行う。なお、断裁機１０６は、出力用紙を給紙した後、プリントサーバ１０１やクライアントＰＣ１０２から送信された印刷データと出力用紙に形成された画像とを比較し、印刷データに誤りがないか、用紙に傷や汚れがないかを検査する機能も備えている。
【００２１】
続いて、画像形成処理としての印刷処理を行う画像形成装置の概略を説明する。図２に示すように、本実施の形態に係る画像形成装置１０４は、大まかに、装置本体２０１と制御装置２０７とで構成される。装置本体２０１は、表示手段としての表示操作部２０２、リーダ部２０３、画像形成手段としてのプリンタ部２０４、シート収納手段としての給紙装置２０５、排紙装置２０６から構成される。表示操作部２０２は、装置本体２０１及び制御装置２０７を操作する表示パネルであり、例えばタッチパネル式で構成されて、表示画像を表示する表示機能と入力操作を受付可能な受付機能とを有している。リーダ部２０３は、原稿画像を読み取り、原稿画像に応じた画像データをプリンタ部２０４及び制御装置２０７へ出力する。プリンタ部２０４は、リーダ部２０３及び制御装置２０７からの画像データが含まれる印刷データに応じて画像を用紙に形成する。
【００２２】
給紙装置２０５は、一般的には、給紙トレイ、手差しトレイ、給紙デッキといった印刷に用いる用紙を格納し、プリンタ部２０４に機械的に用紙を給送可能となっている。排紙装置２０６は、排紙トレイ、スタッカなどを有しており、プリンタ部２０４から出力された出力用紙を積載可能となっている。即ち、プリンタ部２０４は、給紙装置２０５から給紙された用紙に対して画像形成を行い、排紙装置２０６へと順次排出する。また、上述したように印刷システム１００としては、製本機１０５や断裁機１０６といった後処理装置が含まれており、ユーザは、排紙装置２０６へと排紙された出力用紙をこれら後処理装置へと搬送し、後工程で様々な処理を出力用紙に対して施す。
【００２３】
制御装置２０７は、インターフェイス部２０８、画像メモリ２０９、制御手段としての制御部２１０、記憶手段としてのハードディスク（ＨＤＤ）２１１を有して構成されている。インターフェイス部２０８は、装置本体２０１やコネクタ２１２を介してネットワーク１０３上の各装置と、制御部２１０との間を接続するインターフェイスである。このインターフェイス部２０８は、プリントサーバ１０１或いはクライアントＰＣ１０２から転送された印刷データをコネクタ２１２から受信し、受信した印刷データからプリンタ部２０４で印刷できる画像データを展開して制御部２１０に送信する。なお、コネクタ２１２は、一般的にはＮＩＣ（Ｎｅｔｗｏｒｋ  Ｉｎｔｅｒｆａｃｅ  Ｃａｒｄ）であり、一般的にＬＡＮで構成されるネットワーク１０３を介した各種のデータの送受信を行う。また、プリンタ部２０４で記録できる画像データとは、例えば印刷データに含まれる画像データがベクター画像であっても、制御部２１０でラスタライズイメージ化処理したラスター画像となる。
【００２４】
制御部２１０は、ＣＰＵ２１０ａ、ＲＯＭ２１０ｂ、ＲＡＭ２１０ｃ等を有して構成されている。この制御部２１０のＣＰＵ２１０ａは、ＲＯＭ２１０ｂ又はＨＤＤ２１１等に格納されたプログラムをＲＡＭ２１０ｃにロードして実行し、リーダ部２０３、インターフェイス部２０８、及び画像メモリ２０９等のそれぞれの間のデータの流れを制御する。なお、ＨＤＤ２１１には、アドレス帳、操作履歴、ユーザ設定、ＩＤ設定、ネットワーク設定といった、画像形成装置の各種設定データが保存されている。また、ＨＤＤ２１１の代わりに、電源を落としてもデータが消去されない不揮発性メモリを設けて、該不揮発性メモリにデータを保存しておく構成であってもよい。
【００２５】
次に、図３を用いて、画像形成装置１０４が処理する印刷ジョブに対する断裁処理の設定方法を説明する。図３は印刷設定画面の一例を示す図であり、印刷設定画面Ｗ３０１は、各印刷ジョブに対する設定画面の一部を示している。まず、エリアＡ３０２において、印刷に用いる印刷データサイズを設定する。印刷データサイズは、「定型サイズ」、「カスタムサイズ」、又は「入稿データと同じ」から選択可能である。「定型サイズ」の場合は、画像形成装置１０４に登録された定型サイズを候補としてプルダウンメニューから選択する。「カスタムサイズ」の場合は、ユーザが任意にサイズを指定でき、エリアＡ３０２に示すように用紙の幅及び高さを入力可能である。「入稿データと同じ」の場合は、印刷データが保持するデータサイズを印刷データサイズとしてそのまま用いる。例えばＰＤＦデータのように、印刷データにデータサイズを保持できるデータ形式の場合に用いられる。
【００２６】
エリアＡ３０３は、断裁設定の入力エリアであり、断裁処理の種類を設定する。断裁方法としては、小口側の一箇所のみ断裁する小口断裁、小口及び天地の三箇所を断裁する三方断裁、の二種類が選択できる。次にエリアＡ３０４において、断裁幅を指定するか仕上がりサイズを指定するかを選択する。断裁幅を指定する場合、小口、天地に対してそれぞれ何ｍｍずつ断裁するかが指定できる。この場合、ユーザは得たい印刷成果物の大きさと用紙の大きさから、所望の断裁幅を計算して指定することになる。また、仕上がりサイズを指定する場合、仕上がりサイズとして断裁後の用紙の大きさを指定できる。定型の仕上がりサイズ又はカスタムサイズの仕上がりサイズのいずれかを指定することができ、仕上がりサイズの場合は、その他のフィニッシング処理とは関係なく、用紙サイズで指定できる。仕上がりサイズが指定された場合、画像形成装置１０４は出力用紙サイズと仕上がりサイズとの差から小口及び天地方向の断裁幅を計算し、断裁幅を余白として画像形成を行う。
【００２７】
そして、エリアＡ３０５においては、本画像形成装置１０４の特徴である、最適用紙サイズの提示機能を有効にするか否かの設定を行う。提示機能の設定を有効にした場合の処理の詳細については、図５のフローチャートを用いて後述する。本実施の形態では、オフラインフィニッシングの場合を想定しているため、エリアＡ３０５の設定は、エリアＡ３０３で断裁処理をオフにした場合も独立して有効にできる。なお、オンラインフィニッシング、つまり画像形成装置で断裁処理を行う場合でも、設定は同様である。また、エリアＡ３０５で入力する閾値についても詳細は後述する。
【００２８】
続けて、画像形成装置１０４が記憶するシートサイズである用紙サイズを区分するグループについて図４を用いて説明する。図４は、用紙サイズを区分するグループのテーブルの一例を示す図である。ここでは、搬送方向に対して、１００．０ｍｍから８００．０ｍｍまでの範囲の長さを持つ用紙に印刷可能で、画像形成装置１０４に対して入力可能な用紙サイズの最小単位が０．１ｍｍである場合について説明する。
【００２９】
図４に示すように、サイズ速度情報となるテーブルでは、用紙の長さを複数の異なるグループに分割して区分している。１００．０ｍｍ以上３００．０ｍｍ以下はグループ１に、３００．１ｍｍ以上４８０．０ｍｍ以下はグループ２に、４８０．１ｍｍ以上８００．００ｍｍ以下はグループ３に属する。各グループ番号は印刷速度の大小関係を表し、数字が小さいほど印刷速度が早い用紙の区分である。また、各グループに対して最小ｐｐｍと最大ｐｐｍの情報も備えている。ｐｐｍとはｐａｇｅ  ｐｅｒ  ｍｉｎｕｔｅの略であり、一分間に用紙が何枚印刷できるかを示している。最小ｐｐｍと最大ｐｐｍの値は、各グループの用紙サイズに対して画像形成装置１０４が達成できるｐｐｍの範囲となる。用紙サイズが小さいほど印刷速度が速いため、最小ｐｐｍはグループ内の最大サイズの印刷速度、最大ｐｐｍはグループ内の最小サイズの印刷速度に等しい。例えばグループ１では１００．０ｍｍの印刷速度が８０ｐｐｍ、３００．０ｍｍの印刷速度が６０ｐｐｍとなる。また、例えばグループ２では３００．１ｍｍの印刷速度が５０ｐｐｍ、４８０．０ｍｍの印刷速度が３０ｐｐｍとなる。さらに、例えばグループ３では４８０．１ｍｍの印刷速度が２０ｐｐｍ、８００．０ｍｍの印刷速度が１０ｐｐｍとなる。
【００３０】
画像形成装置の特性に応じて、グループ１とグループ２、グループ２とグループ３の境界値である３００．０ｍｍ、４８０．０ｍｍを例とするように、これらのサイズの前後で不連続的に印刷速度が変化する用紙サイズが存在する。このような境界値により、画像形成装置１０４で印刷可能な用紙サイズは複数の異なるグループに区分することが可能である。即ち図４に示すテーブルは、このように各グループの用紙サイズ範囲と印刷速度範囲とをサイズ速度情報として記憶していることになる。このようなテーブルは、画像形成装置の特性に応じて決まるものであり、それぞれの画像形成装置は図４のテーブルと同様なテーブルを記憶して後述する用紙サイズ提示処理において用いることになる。
【００３１】
ついで、図６を用いて、画像形成装置に登録される用紙サイズ情報について説明する。図６は画像形成装置に登録された用紙サイズを示す図である。なお、画像形成装置１０４のＨＤＤ２１１等に記憶されて登録される用紙情報は、用紙タイプ、用紙サイズ、用紙の色、坪量など多岐にわたるが、ここでは後述の用紙サイズ提示処理に関係する用紙サイズ情報について記載する。図６に示す各行は１つの用紙情報を表しており、用紙情報には、用紙の名称、搬送方向サイズ、その用紙がセットされている給紙トレイ番号、その用紙が所属するグループ番号が含まれている。搬送方向サイズは、用紙の搬送方向の長さをｍｍ単位で記憶している。また、用紙がセットされている給紙トレイの番号は１つとは限らない。用紙情報は予め画像形成装置１０４のＨＤＤ２１１等に記憶されて備えられている定型サイズ情報と、ユーザが任意に登録するカスタム用紙サイズ情報とからなる。例えば搬送方向サイズの２１０ｍｍは、定型サイズであるＡ４用紙の長さであり、定型サイズ情報に基づき登録される。また、カスタム用紙サイズは、ユーザが任意に登録・編集することができるため、図６のテーブルにおける搬送方向サイズが可変である。グループ番号は、図４に示すテーブルに基づく番号で、搬送方向サイズに応じて登録される。
【００３２】
次に、図５及び図７を用いて、本実施の形態に係る用紙サイズ提示処理について説明する。図５は用紙サイズを提示する制御を示すフローチャート、図７は用紙サイズ提示画面の一例を示す図である。本フローチャートで説明する各処理は、画像形成装置１０４が備えるＨＤＤ２１１或いはＲＯＭ２１０ｂに格納されたプログラムに基づいて、コンピュータとしての制御部２１０が実行すること、より詳細にはＣＰＵ２１０ａが実行することにより実現される。
【００３３】
まず、制御部２１０は、上述した印刷データ及び印刷設定の受信を行う（Ｓ１）。印刷設定は、図３で説明した裁断処理に関する設定も含まれている。次に、受信した印刷設定において、最適用紙サイズの提示設定が有効になっているか無効になっているかを判定する（Ｓ２）。無効になっている場合は（Ｓ２のＮｏ）、用紙サイズの提示は行わないため、本制御は終了する。有効になっている場合は（Ｓ２のＹｅｓ）、受信した印刷データと同じ用紙サイズを持つ用紙が画像形成装置１０４に登録されているか否かを判定する（Ｓ３）。同じ用紙サイズが登録されている場合は（Ｓ３のＹｅｓ）、その同じ用紙サイズを第１シートサイズである第１用紙サイズとして決定する（Ｓ４）。印刷データと同じ用紙サイズの用紙が登録されていない場合は（Ｓ３のＮｏ）、受信した印刷データの大きさよりも大きいサイズの用紙のうちの最小の用紙サイズを第１用紙サイズとして決定する。この際、用紙の搬送方向（副走査方向）の大きさを考慮し、印刷データよりも大きい用紙サイズのうちの搬送方向の長さが最小のものを第１用紙サイズとして決定する。例えば印刷データサイズが図３に示す４５０ｍｍであり、画像形成装置１０４に登録された用紙サイズが図６に示す状態であるとする。この場合、４５０ｍｍのサイズの用紙は登録されていないため、これより大きい用紙サイズのうちの最小の用紙サイズである５００ｍｍが第１用紙サイズとして決定される。なお、印刷データよりも大きいサイズの用紙が登録されていない場合は、第１用紙サイズは該当用紙無しに決定し、後述のエラー処理等を実行する。以上のステップＳ３〜Ｓ５によって、画像データが含まれる印刷データに基づき第１用紙サイズを決定する第１決定工程としての第１決定処理を構成する。
【００３４】
次に、制御部２１０は、図４に示す用紙サイズのグループを参照し、第１用紙サイズよりもグループ番号が小さいグループ、つまり印刷速度が速いグループに属する用紙サイズの登録の有無を判定する（Ｓ６）。そして、印刷速度が速いグループが有るか否かを判定し（Ｓ７）、印刷速度が速いグループが無い場合は（Ｓ７のＮｏ）、第１用紙サイズよりも速い印刷速度となる用紙が存在しないため、出力用紙サイズを第１用紙サイズに決定する（Ｓ８）。即ち、このステップＳ７において、印刷速度が速い用紙が無いと判定された場合は（Ｓ７のＮｏ）、後述のステップＳ１０〜ステップＳ１２の処理（即ち提示処理）が中止される。なお、第１用紙サイズが該当無しであった場合は、入力された印刷データに対して適した用紙サイズが存在しないため、画像形成装置１０４は表示操作部２０２に用紙サイズが存在しない旨のエラー画面を表示するエラー処理を行う。一方、第１用紙サイズよりも印刷速度が速いグループに属する用紙サイズが有る場合は（Ｓ７のＹｅｓ）、ステップＳ９に進む。そして、第１用紙サイズよりも印刷速度が速いグループに属する最大の用紙サイズと、印刷データの用紙サイズとを比較し、サイズの差が一定割合以下か否かを判定する（Ｓ９）。第１用紙サイズよりも印刷速度が速いグループに属する最大の用紙サイズと印刷データのサイズの差が一定割合以下であれば（Ｓ９のＹｅｓ）、その用紙サイズを第２シートサイズである第２用紙サイズとして決定する（Ｓ１０）。なお、この一定割合とは図３に示すエリアＡ３０５で指定した閾値を用いた割合であり、「（印刷データのサイズ）÷（第１用紙サイズより印刷速度が速いグループに属する最大の用紙サイズ）の値」が「（１＋閾値）以下」である場合に一定割合以下と判定する。一定割合よりも大きい場合は（Ｓ９のＮｏ）、その用紙サイズは印刷データのサイズとの差が大きく出力用紙サイズとして適さないと判定し、第２用紙サイズは該当無しとして、第１用紙サイズを出力用紙サイズとして決定する（Ｓ８）。即ち、このステップＳ９において、第１用紙サイズと次に印刷速度が速い用紙サイズとの割合が一定割合よりも大きいと判定された場合は（Ｓ９のＮｏ）、後述のステップＳ１０〜ステップＳ１２の処理（即ち提示処理）が中止される。例えば図３及び図６を一例とすると、第１用紙サイズ５００ｍｍが属するグループ３よりも印刷速度が速いグループ２のうち、最大の用紙サイズは４３０ｍｍである。これに対して、印刷データのサイズは４５０ｍｍであり、４５０÷４３０＝約１．０４７であり、閾値１０％以下であるので、第２用紙サイズを４３０ｍｍに決定する。以上のステップＳ６〜Ｓ１０によって、印刷データと図６に示すサイズ速度情報であるテーブルとに基づき第２用紙サイズを決定する第２決定工程としての第２決定処理を構成する。
【００３５】
なお、本実施の形態では、第２用紙サイズが出力用紙サイズの候補となるページ数に関わらず第２用紙サイズを決定するとしている。しかしながら、そのようなページデータが印刷データに１ページ以上含まれている場合、より好ましくは一定枚数以上のページ数或いは一定割合以上のページ数が含まれている場合に限って第２用紙サイズを決定するようにしても良い。即ち、該当ページ数が無い場合或いは少ない場合は印刷速度の差が印刷ワークフローの生産性に与える影響が無い或いは影響が小さい。そのため、該当ページによる生産性の向上がより見込める状態で、ユーザに対して用紙サイズ候補を提示したい場合に第２用紙サイズの提示を行うものである。
【００３６】
また、本実施の形態では、図６に示す画像形成装置１０４に登録されている用紙サイズの全てから第２用紙サイズを決定するとしている。しかしながら、図６のテーブルに含まれている給紙トレイ情報を参照して、画像形成装置１０４の給紙装置２０５にセットされている用紙サイズからのみ第２用紙サイズを決定する方法もある。これは、画像形成装置１０４にセットされていない用紙サイズを出力用紙サイズとしてしまうとユーザによる用紙入れ替えの手間が発生してしまうので、そのような手間を省きたい場合には、給紙トレイ情報を参照して第２用紙サイズを決定することが好ましい。また、登録されている全ての用紙サイズから第２用紙サイズを決定する処理と、給紙装置２０５にセットされている用紙サイズの中から第２用紙サイズを決定する処理と、を選択可能に構成し、選択的に実行するようにしてもよい。
【００３７】
上記のように第１用紙サイズ及び第２用紙サイズが決定されると、制御部２１０は第１用紙サイズ及び第２用紙サイズを出力用紙サイズの候補とする表示画面を表示操作部２０２に表示することで提示し、ユーザからの選択操作を受付ける（Ｓ１１）。即ち、図７に示すように、例えば印刷データサイズ４５０ｍｍに対して、印刷速度が異なる２つの用紙サイズ候補があることを提示する。ユーザはこれらの情報をもとに、第１用紙サイズを用いるか第２用紙サイズを用いるかの選択操作を行う。また、これ以外に、一旦印刷ジョブをキャンセルし、印刷設定や用紙の登録を行うという選択操作も受け付ける。さらに、第１用紙サイズを選択した場合はその印刷結果を示す第１プレビュー画像を、第２用紙サイズを選択した場合はその印刷結果を示す第２プレビュー画像をそれぞれ生成し、表示操作部２０２に表示する。これにより、ユーザは第１プレビュー画像或いは第２プレビュー画像を閲覧し、第１用紙サイズ又は第２用紙サイズを選択した場合にそれぞれ印字結果が所望のものになるかを確認することができる。そして、制御部２１０は、ユーザに選択された用紙サイズを出力用紙サイズとして決定し（Ｓ１２）、本制御を終了する。なお、以上のステップＳ１１によって、第１用紙サイズと第２用紙サイズとを選択候補として提示する提示工程としての提示処理を構成する。
【００３８】
次に、図４に示すサイズ速度情報のテーブルを備える画像形成装置１０４が図６に示す用紙サイズ情報のテーブルを記憶している場合を一例として、図５に示す制御で実行し得る他の場合の処理について説明する。例えば印刷データのサイズが２００ｍｍである場合、第１用紙サイズは２１０ｍｍの用紙となる。この用紙はグループ１に属しており、これより印刷速度が速いグループは存在しないため、出力用紙サイズは２１０ｍｍとなる。これはステップＳ１、ステップＳ２、ステップＳ３のＮｏ、ステップＳ５、ステップＳ６、ステップＳ７のＮｏ、ステップＳ８を通る場合の処理となる。
【００３９】
続いて、例えば印刷データのサイズが２９０ｍｍである場合で、エリアＡ３０５で閾値が１０％に設定されている場合、第１用紙サイズは３３０ｍｍとなる。この場合、第１用紙サイズは、グループ２に属しているので、これより印刷速度が速いグループ１の最大の用紙サイズは２８０ｍｍとなる。２８０ｍｍのサイズは、印刷データのサイズである２９０ｍｍとの差が約３．６％である。このため、ステップＳ９において、「印刷データのサイズ（２９０ｍｍ）÷第１用紙サイズより印刷速度が速いグループに属する最大用紙サイズ（２８０ｍｍ）」が１．１以下（差が１０％以下の場合）となり、一定割合以下であると判定される。これにより、第２用紙サイズが２８０ｍｍとなる。これはステップＳ１、ステップＳ２、ステップＳ３のＮｏ、ステップＳ５、ステップＳ６、ステップＳ７のＹｅｓ、ステップＳ９のＹｅｓ、ステップＳ１０、ステップＳ１１、ステップＳ１２を通る場合の処理となる。従って、第１用紙サイズ３３０ｍｍと第２用紙サイズ２８０ｍｍがユーザに提示される。ユーザは印刷データサイズ２９０ｍｍとこれらの用紙サイズを比較し、好ましい用紙サイズを選択する。
【００４０】
最後に、例えば印刷データのサイズが３２０ｍｍである場合で、エリアＡ３０５で閾値が１０％に設定されている場合、第１用紙サイズは３３０ｍｍとなる。この場合、第１用紙サイズは、グループ２に属しているので、これより印刷速度が速いグループ１の最大の用紙サイズは２８０ｍｍとなる。しかしながら、２８０ｍｍのサイズは、印刷データのサイズである３２０ｍｍとの差が約１４．３％である。このため、ステップＳ９において、サイズ差が一定割合を超えていると判定されるため、つまり用紙サイズ候補としては適さないと判定されて、第２用紙サイズは該当無しとなる。このため、第１用紙サイズ３３０ｍｍが出力用紙サイズとして決定される。これはステップＳ１、ステップＳ２、ステップＳ３のＮｏ、ステップＳ５、ステップＳ６、ステップＳ７のＹｅｓ、ステップＳ９のＮｏ、ステップＳ８を通る場合の処理となる。
【００４１】
以上説明したように、印刷データと同じか大きいサイズの用紙を出力用紙サイズとして用いると、不必要に大きくかつ印刷速度が遅い用紙サイズに印刷してしまう虞がある。しかしながら、本実施の形態に係る画像形成装置１０４によると、印刷データに基づき決定される第１用紙サイズと、印刷データ及びサイズ速度情報に基づき決定される第２用紙サイズとが選択候補として提示される。詳細には、印刷データよりも小さい用紙サイズのグループから選択した第２用紙サイズをユーザに対して提示し、印刷データと同じか大きい第１用紙サイズと、印刷データよりも小さい第２用紙サイズとの両方から出力用紙サイズを選択できる。これにより、ユーザがシートサイズを計算することなく、生産性を考慮した第２用紙サイズを容易に選択することができ、生産性の向上を図ることができる。つまり、不必要に大きくかつ印刷速度が遅い用紙サイズが選択されることが回避可能となり、より速い印刷速度で印刷可能となって、印刷処理の生産性を向上させることが可能となる。一方、第１用紙サイズについても選択候補として提示されるので、例えばページ数が少ない印刷データなどで、生産性の向上を図ること不要な場合や、在庫として保有している用紙サイズなどを考慮して、第１用紙サイズを選択することもできる。
【００４２】
また、本画像形成装置１０４においては、複数のシートサイズが複数のグループに区分され、各グループの画像形成速度が対応付けられたサイズ速度情報のテーブルを有している。これにより、用紙サイズの大きさと画像形成速度とがそのまま比例する関係になくても、第１用紙サイズと画像形成速度が大幅に異なる第２用紙サイズを提示することが可能となる。
【００４３】
また、本画像形成装置１０４においては、印刷データと予め設定された設定情報とに基づき第１用紙サイズを決定する。これにより、第１用紙サイズを決定する際に、例えば断裁処理などのフィニッシング処理に対する定型の仕上がりサイズやカスタムサイズの仕上がりサイズ等に対応した用紙サイズを決定することができる。
【００４４】
また、本画像形成装置１０４においては、第１用紙サイズを選択した場合の画像形成結果を示す第１プレビュー画像と、第２用紙サイズを選択した場合の画像形成結果を示す第２プレビュー画像と、を表示操作部２０２に表示する。これにより、ユーザは、仕上がりの状態を確認してから、用紙サイズの選択を行うことができる。
【００４５】
また、例えば画像形成装置において、印刷データに第２用紙サイズのページデータが含まれていること、特に一定枚数以上のページデータが含まれていることに基づき、第２用紙サイズを決定するように構成する。これにより、生産性の向上がより見込める状態で、ユーザに対して用紙サイズ候補を提示したい場合に第２用紙サイズの提示を行うことができる。
【００４６】
また、例えば画像形成装置において、給紙装置２０５に収納されている用紙サイズの中から第２用紙サイズを決定すれば、ユーザによる用紙入れ替えの手間が発生することを防止することができる。さらに、例えば画像形成装置において、ＨＤＤ２１１に記憶されている複数の用紙サイズ、つまり画像形成装置に登録されている用紙サイズの中から第２用紙サイズを決定すれば、より仕上がり状態が良好で生産性の向上が見込める用紙サイズを提示できる。そして、これら２つの決定手法を例えば設定画面で選択可能に構成し、選択的に実行できるように構成することで、よりユーザの要望に応じることができる。
【００４７】
なお、本実施の形態において、第１用紙サイズと第２用紙サイズとを提示する場合に、表示操作部２０２に表示するものを説明した。しかしながら、これに限らず、例えばプリントサーバ１０１やクライアントＰＣ１０２等、ネットワークを介して他の外部端末において表示することで提示するようにしてもよい。
【００４８】
また、本実施の形態において、表示操作部２０２は例えばタッチパネルで構成されて表示と操作入力が可能なものを説明した。しかしながら、これに限らず、表示モニタと操作キーとが別々に構成されていても構わないし、他の外部端末で表示したり操作入力を受付したりしてもよい。
【００４９】
また、本実施の形態において、第１用紙サイズが印刷データと同じか大きいサイズで、第２用紙サイズが画像形成速度の速いサイズとなるものを説明した。しかしながら、これに限らず、例えば第２用紙サイズが第１用紙サイズよりも大きいサイズであっても構わない。即ち、第１用紙サイズと第２用紙サイズとで生産性が同じ或いは生産性の違いが所定範囲内である場合に、第１用紙サイズがカスタムサイズであれば、第２用紙サイズが大きいサイズでも定型サイズを提示することが考えられる。この場合、ユーザは、第２用紙サイズを準備し易く、結果的に生産性が向上することも考えられる。
【００５０】
そして、本実施の形態において、第１用紙サイズを選択した場合の第１プレビュー画像と第２用紙サイズを選択した場合の第２プレビュー画像とを表示するものを説明した。しかしながら、これに限らず、第１プレビュー画像と第２プレビュー画像とを表示しなくても構わない。特に第１用紙サイズは印刷データより大きいサイズで印刷不備が生じる虞が少ないので、第２プレビュー画像だけを表示するようにしてもよい。また、これらのプレビュー画像は、ネットワークを介して他の外部端末で表示するようにしても構わない。
【符号の説明】
【００５１】
１０４…画像形成装置：２０２…表示操作部（表示手段）：２０４…プリンタ部（画像形成手段）：２０５…給紙装置、シート収納手段：２１０…制御部（制御手段）：２１１…ＨＤＤ（記憶手段）：Ｓ３，Ｓ４，Ｓ５…第１決定処理、第１決定工程：Ｓ６，Ｓ７，Ｓ９，Ｓ１０…第２決定処理、第２決定工程：Ｓ１１…提示処理、提示工程
【図１】
2018124520.tif 000003
【図２】
2018124520.tif 000004
【図３】
2018124520.tif 000005
【図４】
2018124520.tif 000006
【図５】
2018124520.tif 000007
【図６】
2018124520.tif 000008
【図７】
2018124520.tif 000009